(57)【特許請求の範囲】
【請求項１】
組織切断デバイスであって、
可撓性の長尺状本体であって、基端部から先端部まで長手方向に伸び、かつ前記長尺状本体内を長手方向に伸びるチャネルを備えた長尺状本体、
長尺状本体の先端部に接続された先端側部材であって、前記チャネルと連通して前記先端側部材内に伸びるルーメンと、前記先端側部材の長さの一部分に沿って前記先端側部材の外面を通って伸びる凹部とを備え、前記凹部は基端部から受容構造体を備えた先端部まで伸びている先端側部材、及び、
湾曲形状にバイアスされ、かつ前記チャネル及び前記ルーメンの内部に摺動可能に受容された切断要素であって、前記切断要素の先端部が前記凹部の基端側にある開かれた組織受容形態と、切断要素の先端側部分が前記凹部を横切って伸びて、切断要素の先端部が前記凹部の先端部に向かって移動して受容構造体の内部に受容され、先端側部分の長さのうち一部分が先端側部材の外面を越えて径方向に伸びている閉じられた組織把持形態との間で弓状の経路に沿って移動可能な切断要素を含むデバイス。
【請求項２】
切断要素はその基端部においてエネルギー源に接続されて、切断要素の先端部を介して組織を切断するために前記切断要素の長さに沿ってエネルギーが提供される、請求項１に記載のデバイス。
【請求項３】
エネルギー源は、無線周波、交流電流、直流電流、レーザー光、超音波エネルギー及び超低周波エネルギーのうちの１つを供給する、請求項２に記載のデバイス。
【請求項４】
受容構造体はポケット及び溝のうちの１つである、請求項１〜３のいずれか１項に記載のデバイス。
【請求項５】
受容構造体は、前記凹部内に受容された組織によって切断要素に力が加わる時に切断要素が受容構造体から外れるのを防止するように成形されている、請求項１〜４のいずれか１項に記載のデバイス。
【請求項６】
切断要素の先端側部分は、閉じられた形態において、前記先端側部分が前記ルーメンから出て先端側へ伸び、かつ先端側部材の外面を越えて外側に向かって湾曲し、切断要素の先端部が前記凹部の受容構造体に向かって戻るように湾曲している湾曲形態を有する、請求項１〜５のいずれか１項に記載のデバイス。
【請求項７】
先端側部材の外面は、長尺状本体に対する切断要素の配向及び平面方向の動きを維持するために、湾曲した形態の切断要素を支持するためのトラフを備えている、請求項６に記載のデバイス。
【請求項８】
切断要素の先端側部分は実質的にフック形状である、請求項１〜７のいずれか１項に記載のデバイス。
【請求項９】
受容構造体は電気的に絶縁されている、請求項１〜８のいずれか１項に記載のデバイス。
【請求項１０】
受容構造体は、エネルギー源によって供給された電気エネルギーのリターンパスである、請求項３に記載のデバイス。
【請求項１１】
切断要素は、前記ルーメンに対する配向及び平面方向の動きを維持するように前記ルーメンに嵌合するように形成されている、請求項１〜１０のいずれか１項に記載のデバイス。
【請求項１２】
組織を焼灼するためのデバイスであって、
長尺状本体であって、基端部から先端部まで長手方向に伸び、かつ前記長尺状本体内を長手方向に伸びるチャネルを備えた長尺状本体、
長尺状本体の先端部に接続された先端側部材であって、前記チャネルと連通して前記先端側部材内に伸びるルーメンと、先端側部材の長さの一部分に沿って前記先端側部材の外面を通って伸びる凹部とを備えており、前記凹部は基端部から受容構造体を備えた先端部まで伸びている先端側部材、
湾曲形状にバイアスされ、かつ前記チャネル及び前記ルーメンの内部に摺動可能に受容された切断ワイヤであって、前記切断ワイヤの先端部が前記凹部の基端側にある開かれた組織受容形態と、切断ワイヤの先端側部分が前記凹部を横切って伸びて、切断ワイヤの先端部が前記凹部の先端部に向かって移動して受容構造体の内部に受容される閉じられた組織把持形態との間で弓状の経路に沿って移動可能な切断ワイヤ、及び、
切断ワイヤの基端部に接続されたエネルギー源であって、切断ワイヤの先端部が、閉じられた組織把持形態において切断ワイヤの先端部と前記凹部の先端部との間に把持された標的組織を切断するように、切断ワイヤを通して電流を提供するためのエネルギー源を含むデバイス。
【請求項１３】
切断要素の先端側部分は、閉じられた形態において、前記先端側部分が前記ルーメンから出て先端側へ伸び、かつ先端側部材の外面を越えて外側に向かって湾曲し、切断要素の先端部が前記凹部の受容構造体に向かって戻るように湾曲している湾曲形態を有する、請求項１２に記載のデバイス。
【請求項１４】
切断ワイヤは、先端側部材に対する切断ワイヤの配向及び平面方向の動きを維持するように先端側部材の前記ルーメンに嵌合するように形成されている、請求項１２又は１３に記載のデバイス。
【請求項１５】
受容構造体は電気的に絶縁されている、請求項１２〜１４のいずれか１項に記載のデバイス。
【発明の詳細な説明】
【技術分野】
【０００１】
本発明は、格納式の組織切断デバイスに関する。
【背景技術】
【０００２】
医師達には、より積極的な介入的かつ治療的内視鏡手技、例えば、より大きな病変（例えばがん性集塊物）の除去、粘膜の下にある組織を治療するための胃腸（ＧＩ）管粘膜層下でのトンネル作製、組織の全層除去、ＧＩ管への侵入及びＧＩ管からの退出による他の器官の問題の処置、並びに手術後の問題（例えば手術後の漏出、外科的ステープルラインの破綻、吻合部漏出）の内視鏡的処置／修復などを実施する用意が次第に整ってきた。現在利用可能なツールを使用すると、上記の複雑な手技には多大な時間を必要とするかもしれない。例えば、従来の焼灼刀は一般に、不正確な動きが意図せぬ切断をもたらす場合があるので焼灼刀が挿入される内視鏡の正確な制御を必要とする。
【発明の概要】
【０００３】
本開示は、組織切断デバイスであって、可撓性の長尺状本体であって基端部から先端部まで長手方向に伸び、かつ該本体内を長手方向に伸びるチャネルを備えた長尺状本体、長尺状本体の先端部に接続された先端側部材であって、チャネルと連通して該部材内に伸びるルーメンと、該先端側部材の長さの一部分に沿って該部材の外面を通って伸びる凹部とを備え、該凹部は基端部から受容構造体を備えた先端部まで伸びている先端側部材、並びに、チャネル及びルーメンの内部に摺動可能に受容された切断要素であって、該切断要素の先端部が凹部の基端側にある開かれた組織受容形態と、切断要素の先端側部分が凹部を横切って伸びて、切断要素の先端部が凹部の先端部に向かって移動して受容構造体の内部に受容され、先端側部分の長さのうち一部分が先端側部材の外面を越えて径方向に伸びている閉じられた組織把持形態との間で移動可能な切断要素を含むデバイスに関する。
【０００４】
一実施形態において、切断要素はその基端部においてエネルギー源に接続されて、切断要素の先端部を介して組織を切断するために該要素の長さに沿ってエネルギーが提供されてもよい。
【０００５】
一実施形態において、エネルギー源は、無線周波、単極性又は双極性のＡＣ又はＤＣ電流、レーザー、及び超音波又は超低周波のエネルギーのうちの１つであってよい。
一実施形態において、受容構造体はポケット及び溝のうちの１つであってよい。
【０００６】
一実施形態において、受容構造体は、凹部内に受容された組織によって切断要素に力が加わる時に切断要素が受容構造体から外れるのを防止するように成形されてもよい。
一実施形態において、切断要素の先端側部分は、閉じられた形態において、該先端側部分がルーメンから出て先端側へ伸び、かつ先端側部材の外面を越えて外側に向かって湾曲し、切断要素の先端部は凹部の受容構造体に向かって戻るように湾曲している湾曲形態を有しうる。
【０００７】
一実施形態において、先端側部材の外面は、長尺状本体に対する切断要素の配向及び平面方向の動きを維持するために、湾曲した形態の切断要素を支持するためのトラフを備えうる。
【０００８】
一実施形態において、切断要素の先端側部分は実質的にフック形状であってよい。
一実施形態において、受容構造体は電気的に絶縁されていてもよい。
一実施形態において、エネルギー源は双極性の電流であってよい。そのような実施形態では、受容構造体は、電気エネルギーを伝導するためのリターンパスであってもよい。
【０００９】
一実施形態において、切断要素は、ルーメンに対する配向及び平面方向の動きを維持するようにルーメンに嵌合するように形成されてもよい。
本開示はさらに、組織を焼灼するためのデバイスであって、長尺状本体であって基端部から先端部まで長手方向に伸び、かつ該長尺状本体内を長手方向に伸びるチャネルを備えた長尺状本体、長尺状本体の先端部に接続された先端側部材であって、チャネルと連通して該部材内に伸びるルーメンと、先端側部材の長さの一部分に沿って該部材の外面を通って伸びる凹部とを備えており、凹部は基端部から受容構造体を備えた先端部まで伸びている先端側部材、チャネル及びルーメンの内部に摺動可能に受容される切断ワイヤであって、該切断ワイヤの先端部が凹部の基端側にある開かれた組織受容形態と、切断ワイヤの先端側部分が凹部を横切って伸びて、切断ワイヤの先端部が凹部の先端部に向かって移動して受容構造体の内部に受容される閉じられた組織把持形態との間で移動可能な切断ワイヤ、並びに、切断ワイヤの基端部に接続されたエネルギー源であって、切断ワイヤの先端部が、閉じられた組織把持形態において切断ワイヤの先端部と凹部の先端部との間に把持された標的組織を切断するように、該ワイヤを通して電流を提供するためのエネルギー源を含むデバイスに関する。
【００１０】
一実施形態において、切断要素の先端側部分は、閉じられた形態において、該先端側部分がルーメンから出て先端側へ伸び、かつ先端側部材の外面を越えて外側に向かって湾曲し、切断要素の先端部は凹部の受容構造体に向かって戻るように湾曲している湾曲形態を有しうる。
【００１１】
一実施形態において、切断ワイヤは、先端側部材に対する切断ワイヤの配向及び平面方向の動きを維持するように先端側部材のルーメンに嵌合するように形成されてもよい。
一実施形態において、受容構造体は電気的に絶縁されていてもよい。
【００１２】
本開示はさらに、組織を切断するための方法であって、切断デバイスを、内視鏡の作業用チャネルを介して標的組織へと生物体内に挿入するステップであって、該切断デバイスは、先端側部材であって該部材の一部分の中を伸びるルーメンを有する先端側部材と、その長さの一部分に沿って外面を通って伸びる凹部とを備えているステップ、先端側部材の凹部に標的組織を受容するステップ、先端側部材の内部に摺動可能に受容されている切断要素を、切断要素の先端部が凹部の基端側にある開かれた形態から、切断要素の先端側部分が凹部を横切って伸びて、切断要素の先端部が凹部の先端部に向かって移動して凹部の先端部の受容構造体内に受容されてそれらの間に標的組織を把持する閉じられた形態へと移動させるステップ、並びに、凹部の内部に受容された標的組織を切断するために切断要素の長さに沿ってエネルギーを付与するステップを含む方法に関する。
【００１３】
一実施形態において、該方法は、組織を切断するためにデバイスを内視鏡に対して横方向及び／又は基端方向のうち一方に移動させることをさらに含むことができる。
一実施形態において、該方法は、組織を環状に切除するためにデバイスをその長手方向軸を中心に回動させることをさらに含むことができる。
【００１４】
一実施形態において、切断要素の先端側部分は、閉じられた形態において、該先端側部分がルーメンから出て先端側へ伸び、かつ先端側部材の外面を越えて外側に向かって湾曲し、切断要素の先端部は凹部の受容構造体に向かって戻るように湾曲している湾曲形態を有しうる。
【００１５】
一実施形態において、切断ワイヤは、先端側部材に対する切断ワイヤの配向及び平面方向の動きを維持するように先端側部材のルーメンに嵌合するように形成されている。
【図面の簡単な説明】
【００１６】
【図１】本開示の典型的な実施形態によるデバイスの斜視図。
【図２】図１のデバイスの長手方向の断面図。
【図３】開かれた形態における図１のデバイスの長手方向の側面図。
【図４】閉じられた形態における図１のデバイスの長手方向の側面図。
【図５】本開示の別の典型的な実施形態によるデバイスの長手方向の断面図。
【発明を実施するための形態】
【００１７】
詳細な説明
本開示は、以下の説明及び添付の図面を参照してさらに理解されることが可能であり、図中、同様の要素は同じ参照数字を用いて参照されている。本開示は、組織の治療のためのデバイス、特に内視鏡下組織切断用デバイスに関する。本開示の典型的な実施形態は、組織を切断するためのデバイスであって、格納式の切断要素と、意図せぬ切断の危険性を低減するために切断要素の切れ刃の伸びを制限するための先端側受容機構とを備えているデバイスについて説明する。ただし、用語「基端側」及び「先端側」は、本明細書中で使用されるように、デバイスのユーザに向かう（基端側）方向及びデバイスのユーザから離れる（先端側）方向を指すように意図されている。
【００１８】
図１〜５に示されるように、組織を切断するためのデバイス１００は、長尺状本体１０２及び該本体に接続された先端側部材１０４を含む。切断要素１０６は、長尺状本体１０２及び先端側部材１０４を通って摺動可能に伸びて、切断要素１０６が開かれた組織受容形態と閉じられた組織把持形態との間を移動可能である。先端側部材１０４は、その長さに沿って基端部１１０から先端部１１２まで伸びる長尺状凹部１０８を備えている。開かれた形態では、図３に示されるように、切断要素１０６の先端部１１４は長尺状凹部１０８の基端部１１０に近接して、標的組織が凹部１０８の内側で該凹部の先端部１１２と切断要素１０６の先端部１１４との間に受容されうるようになっている。閉じられた形態では、図４に示されるように、切断要素１０６は先端側部材１０４に対して先端側に配置されて、切断要素１０６の先端部１１４が、切断要素１０６と先端側部材１０４との間で凹部１０８の中に標的組織を把持しながら凹部１０８の先端部１１２に隣接するようになっている。把持された組織はその後、より詳細に後述されるように切断要素１０６の先端部１１４にエネルギーを付与することにより、周囲組織から切り離されることができる。標的組織が切断されると、デバイス１００は身体から取り出されて、切断された組織を回収するために別個のデバイスが作業用チャネルを通して挿入されてもよい。切断された組織は、ネット、バッグ又はその他の回収デバイスのようなデバイスを使用して回収されうる。別の実施形態では、切断要素１０６が、切断された組織を把持するか又は刺突して、切断された組織を身体から引き出すために使用されてもよい。エネルギーの選択肢には、無線周波、単極性若しくは双極性のＡＣ若しくはＤＣ電流、レーザー、超音波又は超低周波のエネルギーが挙げられる。
【００１９】
長尺状本体１０２は、基端部（図示せず）から先端部１１６まで長手方向に伸び、かつ該本体内に伸びるチャネル１１８を備えている。この実施形態による長尺状本体１０２は、標的組織が切断されることになっている体内部位に到達するために、例えば内視鏡の作業用チャネルを通過するような大きさ及び形状に作られる。この実施形態による長尺状本体１０２は、生物体の蛇行した通路さえも通って（例えば自然な身体の開口部を介して出入りされる自然な体腔を通って）長尺状本体１０２が進められることを可能にするのに十分な可撓性を有する。１つの典型的な実施形態では、長尺状本体１０２は例えば内視鏡カテーテルであってよい。
【００２０】
先端側部材１０４は長尺状本体１０２の先端部１１６に接続されている。一例において、図１及び２に示されるように、先端側部材１０４の基端部１２０は、チャネル１１８の内部に受容されるための大きさ及び形状に作られた接続部分１２６を備えている。しかしながら、先端側部材１０４は、多数の方法のうち任意の方法で長尺状本体１０２に接続されうる。別例において、図５に示されるように、先端側部材１０４は長尺状本体１０２の先端部１１６を覆って取り付けられる。別の実施形態では、先端側部材１０４は長尺状本体１０２とともに一体的に形成されてもよい。
【００２１】
先端側部材１０４は、基端部１２０から先端部１２２まで長手方向に伸び、かつその側壁１３４の長さの一部分に沿って基端部１１０から先端部１１２まで伸びる長尺状凹部１０８を形成する。先端側部材１０４は、該部材内に伸びる、チャネル１１８と連通しているルーメン１２８を備えている。ルーメン１２８は、該ルーメンを通して切断要素１０６を摺動可能に受容するような大きさ及び形状に作られる。一実施形態において、以下に一層詳細に記載されるように、ルーメン１２８はその長さに沿って湾曲し、対応するように湾曲した切断要素１０６を収容する。特に、この実施形態によるルーメン１２８は、先端側部材１０４の基端部１２０の基端側開口部１３０から、凹部１０８の基端部１１０の基端側で先端側部材１０４の側壁１３４の一部分を貫通しそこで開口している先端側開口部１３２まで湾曲している。先端側開口部１３２は、切断要素１０６が開かれた形態から閉じられた形態へと移動するときに切断要素１０６が面外に回動するのを防止する、側壁１３４を通るトラフとして構成される。
【００２２】
先端側部材１０４の先端部１１２は、切断要素１０６が閉じられた形態に移動した時に切断要素１０６の先端部１１４を受容する大きさ及び形状に作られた受容機構１２４を備えている。受容機構１２４は、対象とされていない組織の切断をもたらす可能性のある切断要素１０６の過度の先端側への伸長を防止するために、切断要素１０６の先端側への伸長を制限する。受容機構１２４は、例えば、切断要素１０６の先端部１１４を受容する大きさ、形状及び配向に作られたポケット又は溝であってよい。いくつかの実施形態では、受容機構１２４は、隣接した対象外の組織を保護するために、非導電性及び／又は断熱性の部材を備えうる。別の実施形態では、切断要素１０６に提供されたエネルギー源が双極性の電流である場合、受容機構１２４は、当業者には理解されるであろうように電気エネルギーを導くためのリターンパスを備えうる。受容機構１２４はさらに、凹部１０８内に受容された組織から力がそこに加わった時、及び／又はデバイス１００が凹部１０８内に受容された標的組織を切断するために動かされたとき、切断要素１０６が受容機構から外れるのを防止するようにも構成されうる。例えば、受容機構１２４は、ひとたび切断要素１０６が受容機構１２４の中に受容されると切断要素１０６がそこから外れるのを防止するための、突出部を備えて成形されてもよい。一実施形態において、受容機構１２４は、切断要素１０６の先端部１１４をその中へと誘導するための、円錐形状及び／又は傾斜又は湾曲した表面を備えうる。加えて、上述のように、側壁１３４を貫通する先端側開口部１３２は、切断要素１０６が閉じられた形態に向かって移動するにつれて切断要素１０６が面外に回動されるのを防止する。このように、切断要素１１６の先端部１１４は、切断要素１０６が閉じられた形態に向かって移動するにつれて受容機構１２４の中へと誘導される。
【００２３】
上記に議論されるように、切断要素１０６は、例えば切断要素１０６の基端部に接続された様々なエネルギー源（例えば、無線周波、単極性若しくは双極性のＡＣ若しくはＤＣ電流、レーザー、超音波又は超低周波のエネルギー）のうち任意のものによってエネルギーを付与されうる。１つの典型的な実施形態では、切断要素１０６は、焼灼によって標的組織を切断するための電流を通すワイヤであってよい。切断要素は、その先端部１１４が凹部１０８の基端部１１０に近接している開かれた形態と、先端部１１４が先端側部材１０４に対して先端側へ受容機構１２４に向かって移動した閉じられた形態との間で移動可能である。１つの実施形態では、先端部１１４は、デバイスの挿入及び位置決めの間の不注意な切断をさらに防止するために、先端側部材１１４のルーメン１２８の中に完全に格納可能であってもよい。よって、凹部１０８の内部に受容されて切断要素１０６の先端部１１４と受容機構１２４との間に把持された組織は、切断要素１０６が閉じられた形態である時に周囲組織から切り離され、かつ組織試料の分離箇所における創傷は、先端部１１４に提供されるエネルギーによって焼灼される。
【００２４】
この実施形態による切断要素１０６は湾曲形状に沿って伸びて、デバイス１００が閉じられた形態にある時は、切断要素１０６の先端側部分１３８が先端側開口部１３２から先端側まで凹部１０８の周囲を伸びて（先端側部材１０４の外面１３６から外側に向かって径方向に伸びて）凹部１０８によって形成される組織受容面積を拡大させ、次いで受容機構１２４に入るために先端側部材１０４に向かって戻るように湾曲するようになっている。換言すれば、ルーメン１２８の先端側開口部１３２を過ぎて先端側へ伸びる切断要素１０６の先端側部分１３８は、概してフック状の形状を有する。切断要素１０６は、例えば、任意の既知の方法を使用して、湾曲した形態を有するようにヒートセット、形成又は屈曲されることができる。切断要素１０６は形状記憶材料から形成されてもよい。切断要素１０６が湾曲していることにより、切断要素１０６が弓状の経路に沿って開かれた形態と閉じられた形態との間を移動することが可能となって、組織が凹部１０８の内部に受容されるためのより多くの空間が可能となる。
【００２５】
切断要素１０６の先端側部分１３８は湾曲しているので、切断要素１０６は、先端側部材１０４に対する切断要素１０６の所望の配置状態を維持するための機構を備えている。換言すれば、切断要素１０６は、先端側に完全に伸長された時に切断要素１０８の先端部が受容機構に入ることを確実にするために、先端側部材１０４のルーメン１２８に対する配向及び動きの平面方向を維持する。１つの実施形態では、切断要素１０６の少なくとも一部分はルーメン１２８の一部分に嵌合するように形成されていてもよい。例えば、図５に示されるように、切断要素１０６は、矩形断面であって、ルーメン１２８の対応する大きさ及び形状に作られた部分の内部に摺動可能に受容される断面を有していてもよい。別例として、切断要素１０６は、ルーメン１２８の対応する平らな表面に摺動可能に沿った平らな表面を１つだけ備えていてもよい。別の実施形態では、切断要素１０６は、その一部分を覆って伸びるオーバーチューブを備えてもよい。オーバーチューブはルーメン１２８の一部分に嵌合するように形成されて、切断要素１０６を開かれた形態と閉じられた形態との間で移動させるためにオーバーチューブを先端側部材１０４に対して前進及び／又は後退させるにつれて、オーバーチューブがルーメン１２８に摺動可能に係合するようになっていてもよい。この嵌合機構はさらに切断要素１０６が面外へと回動されることも防止して、切断要素１０６が閉じられた形態に向かって移動されるにつれて切断要素１０６の先端部１１４が受容機構１２４の中へと誘導されるようになっている。
【００２６】
典型的な実施形態は切断要素１０６をエネルギーに基づくものとして示しかつ説明しているが、別の実施形態（図示せず）では切断要素１０６は機械式であってもよい。例えば、切断要素１０６は、凹部１０８の内部に受容されて凹部の先端部１１２と切断要素１０６の先端部１１４との間に把持された組織を切断する、ブレード、鋸、又はその他の切刃を備えてもよい。
【００２７】
デバイス１００を使用する典型的な方法によれば、デバイス１００は、先端側部材１０４が標的組織に近接するまで、例えば内視鏡の作業用チャネルを介して標的組織へと生物体内に挿入されうる。デバイス１００は、切断要素１０６が開かれた形態で標的組織に挿入されうる。先端側部材１０４は、標的組織が凹部１０８の内部に受容されるように、標的組織に近接して配置される。凹部１０８に標的組織が受容されると、切断要素１０６は先端側部材１０４に対して先端側へ、閉じられた形態に向かって移動し、その結果、標的組織は凹部１０８の先端部１１２と切断要素の先端部１１４との間に把持される。上述のように、例えば電流等のエネルギー源が切断要素１０６を通じて付与されて、先端部１１４が接触している標的組織を焼灼によって切断する。切断要素１０６は、切断要素１０６が閉じられた形態に向かって移動するにつれて組織を切断する。別の実施形態では、標的組織が凹部１０８の中に受容されて切断要素１０６が閉じられた形態へと移動されたら、凹部１０８に捕捉された組織を切り離すためにデバイス１００全体を基端側へ移動させてもよい。最初の切断部の横にある更なる組織を切断するために、デバイス１００を横方向に移動させることも可能である。これは、該デバイスがナイフのように、より長い距離を切断するのに使用されることを可能にする。別例において、デバイス１００は、組織を環状に切除するために、該デバイスの長手方向軸を中心に回動されてもよい。しかしながら、ひとたび先端部１１４が凹部１０８の先端部１１２で受容要素１２４の内部に受容されれば、切断要素１０６はその先のいかなる組織を切断することも防止される。標的組織が所望通りに切断されたら、切断要素１０６は開かれた形態へと移動されて、必要に応じて上記手順が標的組織の第２の部分について再実施されてもよい。すべての所望の組織が切断されると、デバイス１００は、当業者に理解されるように身体から除去されうる。デバイス１００が除去されると、切断された組織を回収するために別個のデバイスが標的部位へと挿入されうる。別例として、デバイス１００の除去に先立って、デバイス１００が身体から抜去されているときに切断された組織を身体から引き出すために、切断要素１０６が切断された組織を把持するか又は刺突するために使用されてもよい。この実施形態では、エネルギー源は、組織が身体から除去されているときに該組織をさらに切断しないように、非活性化される。
【００２８】
当業者には明らかであろうが、様々な改変が、本開示の範囲から逸脱することなく本開示においてなされうる。よって、本開示の改変形態及び変更形態が添付の特許請求の範囲及びそれらの等価物の範囲内に入るならば、本開示は該改変形態及び変更形態を含む、ということが意図されている。
【図１】
0006559889.tif 000002
【図２】
0006559889.tif 000003
【図３】
0006559889.tif 000004
【図４】
0006559889.tif 000005
【図５】
0006559889.tif 000006